(57)【要約】      （修正有）【課題】左前、左後、右前、右後という四つの音道を有する音声を同時に生成でき、ステレオサラウンドという効果音を実現でき、効果が高く、利便性を有しており、独立するエンクロージャーを設置する必要が無く、移動空間に影響を与えないパーソナルオーディオコンポエンターテインメントシステムを提供する。【解決手段】パーソナルオーディオコンポエンターテインメントシステムは、エンターテインメント再生装置、ブルートゥース（登録商標）トランスミッタ、音声再生装置を有する電子ゲームチェア、充電機能付きブルートゥース受信器、サブウーファーと、メインエンクロージャー内蔵ブルートゥース受信器とを含む音声再生装置という五つの部分からなり、ブルートゥース送信手段を用いてエンターテインメント再生装置を、音声再生装置を有する電子ゲームチェアと音声再生装置とに接続する。【選択図】図１
0003234569.tif 000002
【実用新案登録請求の範囲】
【請求項１】
エンターテインメント再生装置と、ブルートゥーストランスミッタと、電子ゲームチェアと、充電機能付きブルートゥース受信器と、サブウーファーとを有してメインエンクロージャーにブルートゥース受信器を内蔵する音声再生装置という五つの部分を含むパーソナルオーディオコンポエンターテインメントシステムであって、
前記電子ゲームチェアは、頸部サポート（１２２４）が先端に接続され、前記頸部サポート（１２２４）は、結び紐（１２２５）が一端に固定して接続され、前記結び紐（１２２５）は、バックル（１２２６）が一端に接続され、
前記電子ゲームチェアは、背もたれ（１２２）が一端に設置され、前記背もたれ（１２２）は、クッション（１２３）が底部に接続され、前記クッション（１２３）は、ホルダー（１２４）が底部に回転可能に接続され、前記ホルダー（１２４）は、ローラー（１２４１）が底部に接続され、
前記電子ゲームチェアは、音声再生装置（１２１）が一端に接続され、前記音声再生装置（１２１）は、エンクロージャー１２２１、リード線１２２２及びブルートゥース受信器１２２３からなり、前記ブルートゥース受信器１２２３とエンクロージャー１２２１とがリード線１２２２を介して接続されると共に、前記エンクロージャー１２２１は、背もたれ（１２２）の背面が一端に固定して接続され、前記背もたれ（１２２）は、肩もたれ（１２２８）が両側にそれぞれ設置され、
前記エンクロージャーは、肩もたれ（１２２８）が他端に接続され、前記背もたれ（１２２）は、貫通穴（１２２９）が一端に設けられると共に、一端が前記リード線（１２２２）を介して貫通穴（１２２９）を通り抜け収納袋（１２３０）におけるブルートゥース受信器（１２２３）と接続され、前記ブルートゥース受信器（１２２３）は、一端が無線電波によりブルートゥーストランスミッタ（１１０）に接続され、前記ブルートゥーストランスミッタ（１１０）は、エンターテインメント再生装置（１００）が一端に接続されると共に、無線電波により音声再生装置（１３０）に接続される、ことを特徴とする、パーソナルオーディオコンポエンターテインメントシステム。
【請求項２】
前記背もたれ（１２２）は、直方体として構成され、底部がクッション（１２３）の辺縁と垂直するように回転可能に接続される、ことを特徴とする、請求項１に記載のパーソナルオーディオコンポエンターテインメントシステム。
【請求項３】
前記肩もたれ（１２２８）は、背もたれ（１２２）の両側に位置すると共に、人体の肩部の箇所と同じ水平位置である、ことを特徴とする、請求項１に記載のパーソナルオーディオコンポエンターテインメントシステム。
【請求項４】
前記ブルートゥース受信手段は、コントロールパネルに集積されており、充電と放電の機能を有しており、
前記コントロールパネルは、ブルートゥース受信手段のブルートゥース受信機能を制御する、ことを特徴とする、請求項１に記載のパーソナルオーディオコンポエンターテインメントシステム。
【請求項５】
前記背もたれ（１２２）は、音声出力口（１２２７）が先端に設けられると共に、前記音声出力口（１２２７）の数が二つあり、二つの前記音声出力口（１２２７）は、対称位置にある、ことを特徴とする、請求項１に記載のパーソナルオーディオコンポエンターテインメントシステム。
【請求項６】
ブルートゥースオーディオコンポ電子ゲームチェアであって、前記オーディオコンポが左右音道エンクロージャーを含み、前記電子ゲームチェアは、ブルートゥース受信手段が一端に設置され、前記音声再生装置（１２２１）は、ブルートゥース受信手段を介してブルートゥーストランスミッタに無線接続されるという一番目の音声再生装置と、
ブルートゥースオーディオコンポ装置であって、前記ブルートゥーストランスミッタが無線電波により前記音声再生装置（１３０）に接続される、という二番目の音声再生装置が同時に接続される、ことを特徴とする、請求項１に記載のパーソナルオーディオコンポエンターテインメントシステム。
【請求項７】
前記ブルートゥーストランスミッタ（１１０）は、ＵＳＢインターフェースが一端に設置され、
前記エンターテインメント再生装置（１００）は、ＵＳＢソケットを介して、ブルートゥーストランスミッタ（１１０）に接続される、ことを特徴とする、請求項１に記載のパーソナルオーディオコンポエンターテインメントシステム。
【考案の詳細な説明】
【技術分野】
【０００１】
本考案は、オーディオコンポエンターテインメントの技術分野に関し、特にパーソナルオーディオコンポエンターテインメントシステムに関する。
【背景技術】
【０００２】
インターネットを応用する技術がますます成熟化していくにつれ、個人の利用者が家で映画を見たり歌を歌ったりするニーズがますます高くなり、つまり、パーソナルオーディオコンポエンターテインメントシステムを幅広く使うことが多くなる。パーソナルオーディオコンポエンターテインメントシステムは、複数のエンクロージャーを用いて、音道が異なる音声を同時に出力することにより、優れた効果を得ることができる。
【０００３】
従来のパーソナルオーディオコンポエンターテインメントは、装飾を実施するにあたって、壁に穴を開け、配線を設置し、工事を施すことにより、大型のオーディオコンポ装置を天井や壁に吊るすことが必要である。しかしながら、このような方法は、コストが高く、工事も必要となり、また、そもそもの装飾を破り、安全上のリスクが存在する。そして、我々は、パーソナルオーディオコンポエンターテインメントシステムを提案する。このパーソナルオーディオコンポエンターテインメントシステムは、効率が高く、便利性があり、独立するエンクロージャーをチェアの後方に設置する必要が無くなり、移動の空間に影響を与えてしまうことがない。
【考案の概要】
【考案が解決しようとする課題】
【０００４】
本考案は、従来の技術の不足を克服すべく、パーソナルオーディオコンポエンターテインメントシステムを提供しており、このパーソナルオーディオコンポエンターテインメントシステムは、エンターテインメント再生装置を、二つの音声再生装置の両方に無線電波により接続してなるものであるため、四つの音道によるステレオサラウンドの効果音が実現される。使用の際には、効率が高く、便利性があり、しかも、壁に穴を開け、配線を設置し、工事を施す必要が無くなり、コストが低く、そもそもの装飾を破ることがなく、安全性が高い。
【課題を解決するための手段】
【０００５】
上記の技術的問題を解決するために、本考案は、以下の技術的手段を提供する。パーソナルオーディオコンポエンターテインメントシステムは、エンターテインメント再生装置、ブルートゥース(登録商標)トランスミッタ、電子ゲームチェア、充電機能付きブルートゥース受信器、及び、サブウーファーを有してメインエンクロージャーにブルートゥース受信器を内蔵する音声再生装置という五つの部分を含む。前記電子ゲームチェアは、頸部サポートが先端に接続され、前記頸部サポートは、結び紐が一端に固定して接続され、前記結び紐は、バックルが一端に接続され、前記電子ゲームチェアは、背もたれが一端に設置され、前記背もたれは、クッションが底部に接続され、前記クッションは、ホルダーが底部に回転可能に接続され、前記ホルダーは、ローラーが底部に接続されると共に、前記電子ゲームチェアは、音声再生装置が一端に接続され、前記音声再生装置は、エンクロージャー、リード線及び充電機能付きブルートゥース受信器からなり、前記エンクロージャーは、一端が背もたれの背面に固定され、前記背もたれは、両側にそれぞれ、肩もたれが設置されると共に、前記背もたれは、貫通穴が下方に設けられ、前記肩もたれは、両側にエンクロージャーがリード線を介して接続されてから、貫通穴を通り抜け収納袋におけるブルートゥース受信器に接続され、前記ブルートゥース受信器は、一端が無線電波によりブルートゥーストランスミッタに接続される。前記ブルートゥーストランスミッタは、エンターテインメント再生装置が一端に接続されると共に、一端が無線電波により音声再生装置に接続される。
【０００６】
本考案における好ましい一つの技術手段としては、前記背もたれは、直方体として構成され、底部がクッションの辺縁と垂直するように回転可能に接続される。
【０００７】
本考案における好ましい一つの技術手段としては、背もたれの両側に位置すると共に、人体の肩部の箇所と同じ水平位置である。
【０００８】
本考案における好ましい一つの技術手段としては、コントロールパネルに集積されており、充電と放電の機能を有しており、前記コントロールパネルは、ブルートゥース受信手段のブルートゥース受信機能を制御する。
【０００９】
本考案における好ましい一つの技術手段、前記背もたれは、音声出力口が先端に設けられると共に、前記音声出力口の数が二つあり、二つの前記音声出力口は、対称位置にある。
【００１０】
本考案における好ましい一つの技術手段としては、ブルートゥースオーディオコンポ電子ゲームチェアであって、前記オーディオコンポが左右音道エンクロージャーを含み、前記電子ゲームチェアは、ブルートゥース受信手段が一端に設置され、前記音声再生装置は、ブルートゥース受信手段を介してブルートゥーストランスミッタに無線接続されるという一番目の音声再生装置と、ブルートゥースオーディオコンポ装置であって、前記ブルートゥーストランスミッタが無線電波により前記音声再生装置に接続される、という二番目の音声再生装置が同時に接続される。
【００１１】
本考案における好ましい一つの技術手段としては、前記ブルートゥーストランスミッタは、ＵＳＢインターフェースが一端に設置され、前記エンターテインメント再生装置は、ＵＳＢソケットを介して、ブルートゥーストランスミッタに接続される。
【考案の効果】
【００１２】
本考案は、従来の技術に比べると、得られる有益な效果は以下の通りである。
パーソナルオーディオコンポエンターテインメントシステム本パーソナルオーディオコンポエンターテインメントシステムは、エンターテインメント再生装置を、二つの音声再生装置の両方に無線電波により接続してなるものであるため、四つの音道によるステレオサラウンドの効果音が実現される。使用の際に、効率が高く、便利性があり、しかも、壁に穴を開け、配線を設置し、工事を施す必要が無くなり、コストが低く、そもそもの装飾を破ることがなく、安全性が高い。ブルートゥース電子ゲームチェアは、バッテリーにより電力を供給されるため、チェアと共に移動でき、使用が簡便であり、実用性がある。
【図面の簡単な説明】
【００１３】
【図１】本考案の正面構成の模式図である。
【図２】本考案の背面構成の模式図である。
【図３】本考案のシステム構成の模式図である。
【図４】本考案のシステム構成の模式図である。
【考案を実施するための形態】
【００１４】
本考案による技術的手段、創作の特徴、達成しようとする目的及び効果を、より明確に分かるように、以下に、具体的な実施例に基づいて、本考案を詳しく説明するが、以下の実施例は、本考案の好ましい実施例に過ぎず、全てではない。当業者が実施形態における実施例に基づいて、進歩性を有する労働がない限りに取得可能な明細書の他の実施例は、いずれも、本考案の保護範囲に含まれる。下記の実施例における実験の方法は、特別な断りが無ければ、いずれも、通常の方法に該当しており、下記の実施例に使用される素材や試薬などについて、特別な説明が無ければいずれも市場から得られる。
【００１５】
実施例
図１乃至図３に示すように、パーソナルオーディオコンポエンターテインメントシステムは、エンターテインメント再生装置、ブルートゥーストランスミッタ、電子ゲームチェア、バッテリーを有して充電機能を付けるブルートゥース受信器、及び、サブウーファーを有するオーディオコンポ装置という五つの部分を含む。電子ゲームチェアは、頸部サポート１２２４が先端に接続される。頸部サポート１２２４は、結び紐１２２５が一端に固定して接続される。結び紐１２２５は、バックル１２２６が一端に接続される。電子ゲームチェアは、背もたれ１２２が一端に設置される。背もたれ１２２は、クッション１２３が底部に接続される。クッション１２３は、ホルダー１２４が底部に回転可能に接続される。ホルダー１２４は、ローラー１２４１が底部に接続される。電子ゲームチェアは、音声再生装置１２１が一端に接続される。音声再生装置１２１は、エンクロージャー１２２１、リード線１２２２及びブルートゥース受信器１２２３からなる。ブルートゥース受信器１２２３は、エンクロージャー１２２１がリード線１２２２を介して接続される。エンクロージャー１２２１は、背もたれ１２２の背面が一端に固定して接続される。背もたれ１２２は、肩もたれ１２２８が両側にそれぞれ設置される。エンクロージャーは、他端が肩もたれ１２２８に接続される。背もたれ１２２は、貫通穴１２２９が一端に設けられる。エンクロージャー１２２１は、一端がリード線１２２２を介して貫通穴１２２９を通り抜け収納袋１２３０におけるブルートゥース受信器１２２３に接続される。ブルートゥース受信器１２２３は、一端が無線電波によりブルートゥーストランスミッタ１１０に接続される。ブルートゥーストランスミッタ１１０は、エンターテインメント再生装置１００が一端に接続されると共に、無線電波により音声再生装置１３０に接続される。電子ゲームチェアに背もたれ１２２、クッション１２３、及び、肩もたれ１２２８を設置することにより、座り心地が良くなる。収納袋１２３０を設置することにより、ブルートゥース受信手段１２２３を収納袋１２３０に収納することができるし、両手を空けにして、リラックスや休息を取るように携帯を収納袋１２３０に収納することができる。ローラー１２４１を設置することにより、チェアを床に移動させることができる。エンターテインメント再生装置は、ブルートゥーストランスミッタを介して、電子ゲームチェアにおける音声再生装置１２１に接続されるため、電子ゲームチェアにより、リアから音声を出力する。また、このパーソナルオーディオコンポエンターテインメントシステムは、音声再生装置１３０を、ブルートゥーストランスミッタ１１０に無線電波により接続する。このパーソナルオーディオコンポエンターテインメントシステムは、エンターテインメント再生装置を、二つの音声再生装置の両者に無線電波により接続する。そして、４つの音道によるステレオサラウンドの効果音が実現され得る。
【００１６】
使用の際に、効率が高く、便利性があり、しかも、壁に穴を開け、配線を設置し、工事を施す必要が無くなり、コストが低く、そもそもの装飾を破ることがなく、安全性が高い。リア音声再生装置は、ブルートゥース接受手段を介して電力を供給されるため、電源用配線が必要とならず、使用が簡便であり、実用性がある。
【００１７】
他の実施例である。本実施例では、図１乃至２に示すように、背もたれ１２２は、直方体として構成される。背もたれ１２２は、底部がクッション１２３の辺縁と垂直するように回転可能に接続される。背もたれ１２２の底部をクッション１２３の辺縁と垂直するように回転可能に接続することにより、クッション１２３に対する背もたれ１２２の角度をより簡便に調節することができ、休みの際に、足と脊椎との夾角を簡便に調整することができる。
【００１８】
他の実施例である。本実施例では、図１乃至２に示すように、肩もたれ１２２８は、背もたれ１２２の両側に位置すると共に、人体の肩部の箇所と同じ水平位置である。肩もたれ１２２８を設置することにより、人の肩を支え、座りの心地が良くなり、しかも、肩もたれ１２２８が人耳とエンクロージャーとの間を隔てることから、エンクロージャーが送信する音声により耳を傷つきにすることを効果的に削減することができる。
【００１９】
他の実施例である。本実施例では、図１乃至２に示すように、前記ブルートゥース受信手段は、コントロールパネルに集積される。前記コントロールパネルは、ブルートゥース受信手段のブルートゥース受信機能を控制する。コントロールパネルを設置することにより、休みの際にブルートゥース受信手段におけるコントロールパネルにより、エンクロージャーを操作して制御することができ、例えば、再生、一時停止、停止、曲戻し、曲送り、ボリューム調整などの制御機能を実現することができる。
【００２０】
他の実施例である。本実施例では、図１乃至２に示すように、背もたれ１２２は、音声出力口１２２７が先端に設けられると共に、音声出力口１２２７の数が二つあり、二つの音声出力口は、対称位置にある。音声出力口を設けることにより、人がチェアに座る時には、音声出力口が人の肩に位置することになり、背もたれ１２２の背面にあるエンクロージャーが送信する音声が音声出力口から人耳に転送され、音声が音声出力口と肩もたれ１２２８の外側から人耳を通り抜ける距離が異なることから、ステレオサラウンドの効果音が実現される。
【００２１】
他の実施例である。本実施例では、図１乃至２に示すように、電子ゲームチェアがブルートゥースオーディオコンポ電子ゲームチェアであり、左右音道エンクロージャーを含み、電子ゲームチェアは、ブルートゥース受信手段１２２３が一端に設置され、音声再生装置１２１は、ブルートゥース受信手段によりブルートゥーストランスミッタ１１０に無線接続される。音声再生装置１３０は、ブルートゥースオーディオコンポ装置であり、ブルートゥースオーディオコンポ装置が左右音道エンクロージャーと重低音スピーカーからなる。音声再生装置１３０をブルートゥーストランスミッタ１１０に無線接続することにより、使用を簡便にして、使用空間を減らすように役立つ。
【００２２】
他の実施例である。本実施例では、図１乃至２に示すように、ブルートゥーストランスミッタ１１０は、ＵＳＢインターフェースが一端に設置され、エンターテインメント再生装置１００は、ＵＳＢソケットを介してブルートゥーストランスミッタ１１０に接続される。この場合には、エンターテインメント再生装置１００に複数の対象のブルートゥースの送信機能を有させることができる。
【００２３】
本考案では、他の明確な断りが無ければ、第二要件に対する第一要件の「上方」又は「下方」とは、第一要件と第二要件とを直接に接触してもよいし、第一要件と第二要件を、直接に接触することなく、両者間において他の要件を介して接触してもよい。しかも、第一要件が第二要件に対して「上側」、「上方」や「上面」に位置するとは、第一要件が第二要件に対して、真上や斜め上方に位置してもよいし、第一要件の水平高さが第二要件のほうよりも高いとしてもよい。また、第一要件が第二要件に対して「下側」、「下方」や「下面」に位置するとは、第一要件が第二要件に対して、真下や斜め下方に位置してもよいし、第一要件の水平高さが第二要件のほうよりも低いとしてもよい。
【００２４】
以上には、本考案に係る基本原理、主な特徴や本考案の利点を示して説明した。当業者にとっては、本考案が上記の実施例により限定されるものではないと理解するべきである。上記の実施例や明細書に記載されているのは、本考案の好ましい例に過ぎず、本考案を限定するものではなく、本考案の趣旨や範囲を逸脱しない限り、本考案について様々な変更や変形が可能であり、これらの変更や変形が保護しようとする本考案による範囲に含まれる。本考案が保護しようとする範囲は、添付されている実用新案登録請求の範囲及びその均等物に準ずる。
【符号の説明】
【００２５】
１２１      音声再生装置
１２２１    電子ゲームチェアエンクロージャー
１２２２    電子ゲームチェアのリード線
１２２３    ブルートゥース受信器
１２２      背もたれ
１２２８    肩もたれ
１２３      クッション
１２４      ホルダー
１２２４    頸部サポート
１２２５    結び紐
１２２６    バックル
１２２９    貫通穴
１２３０    収納袋
１２４１    ローラー
１２２７    音声出力口
１００      エンターテインメント再生装置
１１０      ブルートゥーストランスミッタ
１３０      音声再生装置
１３０１    フロント音声再生装置リード線
１３０２    フロント左側サブエンクロージャー
１３０３    フロント右側メインエンクロージャー
１３０４    サブウーファー
【図１】
0003234569.tif 000003
【図２】
0003234569.tif 000004
【図３】
0003234569.tif 000005
【図４】
0003234569.tif 000006
【手続補正書】
【提出日】令和3年8月23日(2021.8.23)
【手続補正１】
【補正対象書類名】実用新案登録請求の範囲
【補正対象項目名】全文
【補正方法】変更
【補正の内容】
【実用新案登録請求の範囲】
【請求項１】
エンターテインメント再生装置と、ブルートゥース（登録商標）トランスミッタと、電子ゲームチェアと、充電機能付きブルートゥース（登録商標）受信器と、サブウーファーとを有してメインエンクロージャーにブルートゥース（登録商標）受信器を内蔵する音声再生装置という五つの部分を含むパーソナルオーディオコンポエンターテインメントシステムであって、
前記電子ゲームチェアは、頸部サポート（１２２４）が先端に接続され、前記頸部サポート（１２２４）は、結び紐（１２２５）が一端に固定して接続され、前記結び紐（１２２５）は、バックル（１２２６）が一端に接続され、
前記電子ゲームチェアは、背もたれ（１２２）が一端に設置され、前記背もたれ（１２２）は、クッション（１２３）が底部に接続され、前記クッション（１２３）は、ホルダー（１２４）が底部に回転可能に接続され、前記ホルダー（１２４）は、ローラー（１２４１）が底部に接続され、
前記電子ゲームチェアは、音声再生装置（１２１）が一端に接続され、前記音声再生装置（１２１）は、エンクロージャー１２２１、リード線１２２２及びブルートゥース（登録商標）受信器１２２３からなり、前記ブルートゥース（登録商標）受信器１２２３とエンクロージャー１２２１とがリード線１２２２を介して接続されると共に、前記エンクロージャー１２２１は、背もたれ（１２２）の背面が一端に固定して接続され、前記背もたれ（１２２）は、肩もたれ（１２２８）が両側にそれぞれ設置され、
前記エンクロージャーは、肩もたれ（１２２８）が他端に接続され、前記背もたれ（１２２）は、貫通穴（１２２９）が一端に設けられると共に、一端が前記リード線（１２２２）を介して貫通穴（１２２９）を通り抜け収納袋（１２３０）におけるブルートゥース（登録商標）受信器（１２２３）と接続され、前記ブルートゥース（登録商標）受信器（１２２３）は、一端が無線電波によりブルートゥース（登録商標）トランスミッタ（１１０）に接続され、前記ブルートゥース（登録商標）トランスミッタ（１１０）は、エンターテインメント再生装置（１００）が一端に接続されると共に、無線電波により音声再生装置（１３０）に接続される、ことを特徴とする、パーソナルオーディオコンポエンターテインメントシステム。
【請求項２】
前記背もたれ（１２２）は、直方体として構成され、底部がクッション（１２３）の辺縁と垂直するように回転可能に接続される、ことを特徴とする、請求項１に記載のパーソナルオーディオコンポエンターテインメントシステム。
【請求項３】
前記肩もたれ（１２２８）は、背もたれ（１２２）の両側に位置すると共に、人体の肩部の箇所と同じ水平位置である、ことを特徴とする、請求項１に記載のパーソナルオーディオコンポエンターテインメントシステム。
【請求項４】
前記ブルートゥース（登録商標）受信手段は、コントロールパネルに集積されており、充電と放電の機能を有しており、
前記コントロールパネルは、ブルートゥース（登録商標）受信手段のブルートゥース（登録商標）受信機能を制御する、ことを特徴とする、請求項１に記載のパーソナルオーディオコンポエンターテインメントシステム。
【請求項５】
前記背もたれ（１２２）は、音声出力口（１２２７）が先端に設けられると共に、前記音声出力口（１２２７）の数が二つあり、二つの前記音声出力口（１２２７）は、対称位置にある、ことを特徴とする、請求項１に記載のパーソナルオーディオコンポエンターテインメントシステム。
【請求項６】
ブルートゥース（登録商標）オーディオコンポ電子ゲームチェアであって、前記オーディオコンポが左右音道エンクロージャーを含み、前記電子ゲームチェアは、ブルートゥース（登録商標）受信手段が一端に設置され、前記音声再生装置（１２２１）は、ブルートゥース（登録商標）受信手段を介してブルートゥース（登録商標）トランスミッタに無線接続されるという一番目の音声再生装置と、
ブルートゥース（登録商標）オーディオコンポ装置であって、前記ブルートゥース（登録商標）トランスミッタが無線電波により前記音声再生装置（１３０）に接続される、という二番目の音声再生装置が同時に接続される、ことを特徴とする、請求項１に記載のパーソナルオーディオコンポエンターテインメントシステム。
【請求項７】
前記ブルートゥース（登録商標）トランスミッタ（１１０）は、ＵＳＢインターフェースが一端に設置され、
前記エンターテインメント再生装置（１００）は、ＵＳＢソケットを介して、ブルートゥース（登録商標）トランスミッタ（１１０）に接続される、ことを特徴とする、請求項１に記載のパーソナルオーディオコンポエンターテインメントシステム。